(57)【要約】      （修正有）【課題】  堆肥化容器に於いて、周辺の雰囲気温度により自動的に蓋を開閉し発生蒸気の放散と吸湿を防止する事を目的として形状記憶合金を用いた堆肥化容器の自動蓋開閉装置を提供する。【解決手段】  蓋へ締結した形状記憶合金１１が設定温度域で変態を開始する特性を用いて、その変態時の発生応力を蓋開閉用反力として用いることで成る電気動力を不要とした堆肥化容器自動蓋開閉装置。【選択図】図１
2008100761.tif 000002
【特許請求の範囲】
【請求項１】
形状記憶合金を用いた堆肥化容器の自動蓋開閉若しくは開又は閉を行う堆肥化容器自動蓋開閉装置。
【請求項２】
動力を用いて行う蓋の開閉動作をソーラーパネルの発電量を持って制御する機構を有する請求項１に記載の堆肥化容器自動蓋開閉装置。
【発明の詳細な説明】
【発明の詳細な説明】
【技術分野】
【０００１】本発明は、生ごみ等の堆肥化容器の蓋を気温若しくは容器の内部温度を用いて自動開閉する機構を有する堆肥化容器自動蓋開閉装置に関する。
詳しくは、生ゴミを堆肥化するための装置に対し日中容器内に発生する水蒸気を除去する為と夕方から早朝にかけ吸湿を防止する目的を持って人が朝夕及び天候を勘案し行う堆肥化装置の蓋の開閉に於いて、太陽光及び太陽熱若しくは容器内温度等を動作エネルギー源として形状記憶合金が作動し蓋が開または閉を行う。
若しくは、太陽光発電を行うソーラーパネルが一定発電量に達するとき蓋開閉用動力の動作指令信号として使用する従来技術には無かった自動蓋開閉装置に関する。
【背景技術】
【０００２】従来の生ゴミ堆肥化容器に於いては蓋に通気口を設けたもの程度の物しかなく、生ゴミを堆肥化する過程で生じる発生水蒸気の除去と吸湿防止の為に行われている堆肥化容器の蓋開閉作業の主流は朝夕と天候を勘案して人力によって成される堆肥化容器蓋の開閉であり、その煩雑さに自動蓋開閉が出来る堆肥化容器が必要とされながらも簡易設置を主とした軽便型で有るが故に動力の使用が出来ず人力に頼り蓋の適宜開閉を余儀なくされていたものであった、此れ等より気候に順応する蓋の自動開閉を可能とする堆肥化容器の早期開発が強く求められていたものである。【０００３】同様に外出時に於いても天候及び気候の変化を気にせず良質な堆肥化の促進が出来る容器の早期実現に多数の希望が託されていたものでもある。
【発明の開示】
【発明が解決しようとする課題】
【０００４】本発明は、従来技術の有する此の様な各種問題に鑑み、その問題を解決する為に成されたものである。しかしてその目的とする所は、次の様な構造により問題の解決を図るものである。
本願請求項１の発明に於いては、堆肥化容器の蓋へ垂下締結固定した変態温度概３０℃から６０℃程度範囲で応答動作が出来る形状記憶合金製金具をもって堆肥化容器と連結または接触させ温度変化により形状記憶温度時の形状へ戻る特性を用いて課題の解決を図るものである。
本願請求項２の発明に於いては、ソーラーパネルが太陽光を受け発電が始まるその時の概電流値１５０ｍＡから５００ｍＡ、電圧値概０．２Ｖから１．０Ｖ程度の範囲に於いて発生する電源をもって、蓋を開閉する動力用電気回路の開閉信号電流として用い蓋の開閉を制御することで課題の解決を図るものである。
【課題を解決するための手段】
【０００５】上記目的を達成する為に本発明は下記の様に構成するものである。
すなわち、
本願請求項１の発明は、用いる板状形状記憶合金に於いては、変態温度概３０℃から６０℃程度の範囲に於いて断面形状垂直から鉤の手形状に形状を変化させる記憶を付加した物を蓋等に垂下締結若しくは狭持させる事により構成し課題の解決を図るものである。
本願請求項２の発明は、ソーラーパネルにより発生する電流又は電圧を装置起動信号として用い形状記憶合金の加熱・冷却若しくはリンク機構を介し蓋の開閉を行う電動機等を含む器具の作動を制御する事で本願請求項１と同様の効果を発揮し課題の解決を図るものである。【０００６】本願請求項１の発明による動作形態は、容器に対し回転を可能とする嵌合接合部を有する蓋部とその堆肥化容器と接触するよう堆肥化容器の蓋へ垂下締結、若しくは狭持設置された形状記憶合金が設定温度域で変態を開始し形状記憶合金に堆肥化容器を押し付ける方向の応力を発生させ、その反力を持って蓋開閉動力とするものである。此れにより人力での開閉も装置の影響を受けずに自由に行える特性を付加する事が出来るよう構成されたものである。
本願請求項２の発明は、形状記憶合金を用いる方式を例として説明する。堆肥化容器に設置した固定支点と蓋に設けた固定及び可動支点を有するリンクをピンにより嵌合固定し、蓋へ設置せらるる可動支点へ回転可能とした軸を嵌合設置し、その軸へ更に形状記憶合金を嵌合垂下建立させることで形状記憶合金の加熱・冷却による伸縮特性を用いる事が可能となり、それにより蓋の開閉を行う機構を形成するものである。【０００７】本願請求項１の発明に於いて、形状記憶合金４は蓋２の端部へ垂下締結され反対側端部を堆肥化容器１に動作自由に設置した固定金具５へ接触固定を行う。此れにより雰囲気温度が変態点である概３０℃から６０℃程度の範囲に於いて、断面形状垂直状態よりかぎの手形状へと変態する記憶を付与された形状記憶合金４を用いて雰囲気温度が所定範囲に有るとき断面形状垂直状態よりかぎの手形状へと変態を開始する。その時固定金具５が形状記憶合金４の変態の自由を拘束する事により、反力が生じその反力を持って蓋２を開く力へ変換し蓋２の自動開閉が成されるものである。その形状記憶合金４に与える熱エネルギーはその源を太陽熱又は周辺温度若しくは堆肥化容器１内の発酵温度の何れかでも良くと件の規定はない。又堆肥化容器１内の温度により開閉を行う場合例として第五図に示すヒートパイプ６による集熱制御も行えるものである。
本願請求項２の発明に於いて、蓋２の端部に設けた可動支点リンク７に堆肥化容器１側に設置した固定支点リンク８を連結ピンで動作自由に嵌合固定し、可動支点リンクの可動支点１０へ可動支点連結ピン９を嵌合設置しその可動支点連結ピン９中央へ形状記憶合金１１を嵌合侠持させる。その形状記憶合金１１に加熱を目的としたヒーター１２と冷却を目的とした送風機１３を配し加熱若しくは冷却の為の動力の供給を堆肥化容器１の上面に組み込み配置されたソーラーパネル１４より太陽光による概１５０ｍＡから５００ｍＡ、概０．２Ｖから１．０Ｖ程度の発電量の発生を持って電気回路を開閉する信号電流として用いることで自動制御を行うものである。
【発明実施の形態】
【０００８】本願請求項１の発明に於いて、第一図に基づき説明を行う。装置構成は蓋２へ垂下締結された形状記憶合金４とその形状記憶合金の変形自由動作を拘束する固定金具５をもって成される。詳しくは、装置周辺の温度上昇により形状記憶合金１が断面垂直形状から鉤の手へと周辺温度にあわせ変形を開始する。その変形は低温時に於いては変位量が少なく従って蓋２の開きも少なく、同様に周囲温度の上昇にあっては変位量が多くなり、それにより蓋２の開きが大きくなる特徴を有しているものである。従って従来問題として提起されていた周辺雰囲気温度が低い時に蓋を大きく開けていることで発酵熱が放散され熟成が遅くなったり、当該設置場所の温度上昇により蓋の開度が少なく堆肥化容器１内の発生水蒸気が放散されず生ゴミが熟成出来ずに腐敗を始めてしまう等の問題も含め従来、人が行う事で成っていた、きめ細やかな開閉制御を必要としていた煩雑から開放し周辺雰囲気温度にあわせ蓋２の開閉とその開度調整を自動的に行われる、本発明による堆肥化容器自動蓋開閉装置である。
【０００９】同様に、本願請求項２の発明に於いては、蓋２の開閉動力を形状記憶合金４又は１１、若しくはヒーター又は電動機等に求めその開閉を行う為の信号を堆肥化容器１の上部に配したソーラーパネル１４の発電量により制御を行うものである。しかしてその形態はソーラーパネル１４の発電量を概１５０ｍＡから５００ｍＡ、概０．２Ｖから１．０Ｖ程度の範囲内を信号電流または信号電圧として使用し、ヒーター１２を作動させ形状記憶合金１１に於いては加熱による収縮と冷却による原形復帰特性を持って蓋２の自動開閉を行わせしめる。同様に信号電流または信号電圧信号により電動機等を作動させ蓋２の自動開閉を行わせ、本願請求項１の発明と同様効果をもたらすものである。
【作用と効果】
【００１０】本願請求発明のものに於いて、形状記憶合金の変態温度を調整する事で地域特性に合致させることが出来、同時に周辺雰囲気温度により自動的に堆肥化容器の蓋の開度が変化し発生水蒸気の放散及び夜間から早朝へかけての吸湿を防ぐ事が出来。尚且つ微細な開度調整が確保された、この結果人力による煩雑な作業を行わずに、生ゴミの良質な堆肥化が確認された。此れにより電気等の動力を使用せず天候・気候等に順応する堆肥化容器の自動蓋開閉が成され、使用者が、より快適でより良質な生ゴミの堆肥化を推進する事を目的とした本願請求項１による堆肥化容器自動蓋開閉装置の提供が可能になったものである。
【図面の簡単な説明】
【図１】第一図  部分断面を有する、本願請求項１の全体側面図である。
【図２】第二図  本願請求項１の平面図である。
【図３】第三図  部分断面を有する、本願請求項２の全体側面図である。
【図４】第四図  本願請求項２の平面図である。
【図５】第五図  部分断面を有する、ヒートパイプを有する堆肥化容器の全体側面図である。
【符号の説明】
１、  堆肥化容器本体
２、  蓋
３、  パッキン
４、  形状記憶合金
５、  固定金具
６、  ヒートパイプ
７、  可動支点リンク
８、  固定支点リンク
９、  連結ピン
１０、可動支点
１１、形状記憶合金
１２、ヒーター
１３、送風機
１４、ソーラーパネル
１５、保護カバー
１６、保熱カバー
【図１】
2008100761.tif 000003
【図２】
2008100761.tif 000004
【図３】
2008100761.tif 000005
【図４】
2008100761.tif 000006
【図５】
2008100761.tif 000007